(57)【要約】【課題】    複雑な装置を用いずに、パソコンの利用内容に応じたきめ細かい課金を行う。【解決手段】  使用時間に応じた使用料を課金する時間貸しパソコン１において、該パソコンをインターネットの所定のウエブサイトに接続した場合に、該ウエブサイトのページ内に挿入された特定タグを認識することにより課金情報を得て、パソコンに備えつけた課金装置２により課金する。【選択図】    図１
2004171546.tif 000002
【特許請求の範囲】
【請求項１】
使用時間に応じた使用料を課金する時間貸しパソコンにおいて、該パソコンをインターネットの所定のウエブサイトに接続した場合に、該ウエブサイトのページ内の特定情報を検出することにより課金情報を得て、パソコンに接続した課金装置により課金することを特徴とする時間貸しパソコン。
【請求項２】
特定情報はウエブサイトのページ内に配された特定タグである請求項１記載の時間貸しパソコン。
【請求項３】
特定情報はウエブサイトのページのＵＲＬである請求項１記載の時間貸しパソコン。
【請求項４】
パソコンに収容したアプリケーションプログラムのファイル名から特定情報を検出することにより課金情報を得て、パソコンに接続した課金装置により課金する請求項１から３の何れかに記載の時間貸しパソコン。
【請求項５】
ウエブサイト、アプリケーションプログラムを単位時間当たりの課金額毎にグループ番号で特定されるグループ化して収容した照合テーブルをパソコン内に備え、上記照合テーブルによりウエブサイト、アプリケーションプログラムから検出した特定情報からグループ番号を抽出して、グループ番号から課金情報を得る照合テーブルを備えた課金装置に送信する請求項１から４の何れかに記載の時間貸しパソコン。
【請求項６】
グループ番号には課金の優先順位を付し、同時に複数のウエブサイト、アプリケーションプログラムを利用する場合にそれぞれのグループ番号の優先順位を比較し、より上位のグループ番号に対応する課金のみ実行する請求項５記載の時間貸しパソコン。
【請求項７】
課金は、予め課金装置内に予納した現金から課金分を引き落とす請求項１から６の何れかに記載の時間貸しパソコン。
【請求項８】
課金は、予め課金装置内に接続したプリペイドカードから課金分を引き落とす請求項１から６の何れかに記載の時間貸しパソコン。
【請求項９】
不特定多数の者が通行する場所に設置した時間貸しパソコンにおいて、使用者がいない場合に、パソコンの画面上に案内表示又は広告を表示する請求項１から８の何れかに記載の時間貸しパソコン。
【発明の詳細な説明】
【技術分野】
【０００１】
この発明は、例えば病院の病室等の個室で特定の者が時間借りしたり、ロビー等の不特定多数の者が通行する場所に設置されて、不特定多数の者が時間借りするパソコンに関する。
【背景技術】
【０００２】
従来、時間貸しするパソコンは使用時間に応じて課金装置から一律に課金していた。
【発明の開示】
【発明が解決しようとする課題】
【０００３】
ところで、インターネットに接続することを可能とした時間貸しパソコンを想定した場合、パソコン設置者において魅力的なコンテンツのウエブサイトを用意することは、時間貸しパソコンの利用の促進となり有用である。
【０００４】
その場合、コンテンツの内容に応じてパソコンの使用料に差をつけたり、或いはスポンサー付きのコンテンツの場合は無料にすることが合理的であり、又、時間貸しパソコンの利用の促進につながる。
【０００５】
しかしながら、従来の時間貸しパソコンにおいては、パソコンの使用内容にかかわらず単に時間により課金するので、上記のようなことは不可能であった。この場合、ウエブサイト側において利用者に予めＩＤとパスワードを交付することにより利用者を特定し、課金する方法が想定できる。しかしながら、課金の手段としては請求書による後払いや、クレジットカードによらざるを得ず、決済が複雑となった。又、ＩＤとパスワードの交付は不特定多数の者が時間借りするスポット的な使用には馴染まなかった。
【０００６】
又、従来の時間貸しパソコンは不使用時には何も機能しなかった。
【課題を解決するための手段】
【０００７】
この発明は以上の問題点を解消することを目的として創作されたものであり、ここでは以下の４つの発明を開示する。
【０００８】
第１発明は、使用時間に応じた使用料を課金する時間貸しパソコンにおいて、該パソコンをインターネットの所定のウエブサイトに接続した場合に、該ウエブサイトのページ内の特定情報を検出することにより課金情報を得て、パソコンに接続した課金装置により課金することを特徴とする。
【０００９】
第２発明は、前記の第１発明において、ウエブサイト、アプリケーションプログラムを単位時間当たりの課金額毎にグループ番号で特定されるグループ化して収容した照合テーブルをパソコン内に備え、上記照合テーブルによりウエブサイト、アプリケーションプログラムから検出した特定情報からグループ番号を抽出して、グループ番号から課金情報を得る照合テーブルを備えた課金装置に送信することを特徴とする。
【００１０】
第３発明は、前記の第２発明において、グループ番号に課金の優先順位を付し、同時に複数のウエブサイト、アプリケーションプログラムを利用する場合にそれぞれのグループ番号の優先順位を比較し、より上位のグループ番号に対応する課金のみ実行することを特徴とする。
【００１１】
第４発明は、前記の各発明において、時間貸しパソコンを不特定多数の者が通行する場所に設置した場合において、使用者がいない場合にパソコンの画面上に案内表示又は広告を表示することを特徴とする。
【発明の効果】
【００１２】
第１発明においては、請求書による後払いやクレジットカードを使用しなくても、パソコンの利用内容に応じ、コンテンツに応じたきめ細かい課金が可能となるので、複雑な決済を要さず、時間貸しパソコンの効率的な運用が可能となり、更に、ＩＤやパスワードの交付を要さないので、従来、コンテンツの内容に応じて使用料に差をつけることが困難であった不特定多数の者が時間借りするスポット的な使用にも対応することが可能となる。又、パソコン側の設定を変えずに、ウエブサーバー側の設定を変えるだけで遠隔地の多数のパソコンの課金を変更することが可能となる効果も生じる。
【００１３】
第２発明においては、課金情報をパソコン内でグループ番号化し、課金装置では上記グループ番号により課金額を認識するので、新規のコンテンツを供給する場合でもグループ番号と対応する特定情報を付加するだけで課金指示を行うことができるので、管理操作が複雑でなく、又、料金の改訂も各コンテンツのグループ替えの場合はウエブサイト側で、グループ毎の改訂の場合は課金装置側で実行できるので、パソコン自体の設定に手を加える必要がなく、効率的な作業を実現できる効果を生じる。
【００１４】
第３発明においては、グループ番号の優先順位を比較し、より上位のグループ番号に対応する課金のみ実行するので、利用者が同時に複数のコンテンツを呼び出している場合にも容易に対応することが可能となる効果を生じる。
【００１５】
第４発明においては、使用者がいない場合に、パソコンの画面上に設置施設（例えば病院）の案内表示を行うことにより、設置施設にとっても有用な存在となる。又、使用者がいない場合に、パソコンの画面上に広告の表示を行うことにより、広告収入も期待できる。
【発明を実施するための最良の形態】
【００１６】
以下、この発明の具体的実施例を添付図面に基づいて説明する。ここでは、説明の便宜上、前記の第１発明から第３発明を全て包含した第４発明の時間貸しパソコンを例にとり説明することとする。
【００１７】
図１はこの発明の時間貸しパソコンの構成を示すブロック図である。図中符号１はパソコン本体であり、インターネット３に接続されると共に、課金装置５に信号線４により接続される。上記パソコンには課金連動制御ソフトウエア２がインストールされ、パソコンからアクセスしたインターネット上のウエブサイト上で利用したコンテンツ（ページ）の種類や利用時間、又はパソコンにインストールされているアプリケーションプログラムの種類、利用時間を常駐監視し、あらかじめ設定しておいた料金体系のグループに選別し、その状態を課金装置５に送信して、課金装置よりグループに応じた機器利用料金を徴収する。
【００１８】
より詳細には、ウエブサイト、アプリケーションプログラムを単位時間当たりの課金額毎にグループ番号で特定されるグループ化して収容した照合テーブルをパソコン１内に備え、上記照合テーブルによりウエブサイト、アプリケーションプログラムから検出した特定情報からグループ番号を抽出して、グループ番号から課金情報を得る照合テーブルを備えた課金装置５に送信する。尚、料金体系が無料のグループに属する場合は、そのグループの使用に関しては無料で使用することができる。
【００１９】
課金装置５における料金の収受は予め課金装置内に予納した現金から課金分を引き落とす方法か、予め課金装置内に接続したプリペイドカードから課金分を引き落とす方法が想定できる。上記課金装置５からは、常時現在入金されている金額又は、挿入されているカードの残度数の状態を、パソコン上で常駐監視・制御している課金連動制御ソフトウエア２に常時送信し、その状態に応じてパソコン上での操作を開放・制限・禁止する。
【００２０】
又、利用者が全くいない状態が一定時間（設定可能）経過した場合、パソコンの画面上に、あらかじめ設定しておいた、病院案内や広告、企業の案内や広告、施設内の掲示板や、癒しの壁紙や動画などを自動的に表示する。利用者がマウスやキーボードなどに触れると、本来の利用案内画面などに戻る。上記の病院案内や広告などは、担当者が簡単に制作できる環境を提供しており、壁紙や動画、アブリケーション、テキスト、フオント、色、サイズ、動作などを入力するだけで、簡単に制作できる。
【００２１】
この発明の時間貸しパソコンの手順の流れを図２のフローチャートに従って以下記載する。
【００２２】
手順Ｓ１〜Ｓ３
パソコンを起動し課金連動制御ソフトウエアを起動し、ホームページを表示する。
【００２３】
手順Ｓ４〜Ｓ５
利用者において任意のウエブサイトに接続してウエブページを読み込もうとしたり、アプリケーションプログラムを起動しようとすると、その状態を監視していたパソコンがそこから検出した特定情報からグループ番号を抽出して、課金装置に送信する。
【００２４】
手順Ｓ６
課金装置においては受信したグループ番号から課金額を算定すると共に、プリペイドカードの有無や現金の残額の有無をチェックして、有りの場合はそこから課金額を引き落とす。
【００２５】
手順Ｓ７〜Ｓ８
無しの場合はカードの挿入や入金を促す警告画面を表示し、一定時間内に実行されない場合は、手順Ｓ２に戻り、ウエブサイトの接続を停止したり、アプリケーションプログラムの起動を停止し、再度ホームページを表示する。
【００２６】
手順Ｓ９〜Ｓ１１
手順Ｓ５において課金額が無料の場合はウエブサイトの接続や、アプリケーションプログラムの起動をそのまま維持する。この場合、一定時間パソコンを操作しない場合は画面上に案内表示又は広告等のスクリーンセーバを表示し、次の操作があるまでこの状態を継続する。
【００２７】
前記したように、この発明においては利用者において任意のウエブサイトに接続してウエブページを読み込もうとしたり、アプリケーションプログラムを起動しようとすると、その状態を監視していたパソコンがそこから検出した特定情報からグループ番号を抽出して、課金装置に送信して課金情報を得る。この場合、特にインターネット利用の際は、ブラウザのウインドウが複数開いてしまう可能性が多いので、グループ番号に課金の優先順位を付し、同時に複数のウエブサイト、アプリケーションプログラムを利用する場合にそれぞれのグループ番号の優先順位を比較し、複数の料全体系判断がなされた場合には、より上位のグループ番号のみ課金装置に送信する。この場合の具体例を下記する。
【００２８】
（例）
グループ１＝料金１００円・優先順位ｌ位
グループ２＝料金５０円・優先順位２位
グループ３＝料金無料・優先順位３位
「グループ１該当のウインドウ」と「グループ２該当のウインドウ」と「グループ３該当のウインドウ」が同時に開いている場合は、優先順位の一番高いグループ１の料金１００円が適用される。
【００２９】
この発明においては、パソコンが検出して課金情報を得るための特定情報としては、次の３つのものを想定している。
(1) ウエブサイトのページ内に配された特定タグ
インターネット利用の場合は、ウエブサイトのぺ一ジ内に「特定タグ」が挿入されているかを検出する。
【００３０】
例えば、下記ページ内に「＜ｈｏｓｐｈａｌｎｅｔ＞＜ｈｏｓｐｉｔａｌｎｅｔ＞」のタグが挿入されているか否かを判別する。
＜ｈｔｍ１＞
＜ｈｅａｄ＞
＜ｔｉｔｌｅ＞ｓａｍｐｌｅ＜／ｔｉｔｌｅ＞
＜ｈｏｓｐｉｔａｌｎｅｔ＞＜／ｈｏｓｐｉｔａｌｎｅｔ＞
＜／ｈｅａｄ＞
本文
＜／ｈｔｍ１＞
タグの種類は上記１種類だけでなく、下記のように自由に設定できる。
タグ  ｈｏｓｐｉｔａｌｎｅｔ    属性  なし  値  なし  と指定した場合
＜ｈｏｓｐｉｔａｌｎｅｔ＞＜／ｈｏｓｐｉｔａｌｎｅｔ＞
タグ  ｈｏｓｐｉｔａｌｎｅｔ    属性  ｖａｒ  値  １  と指定した場合
＜ｈｏｓｐｉｔａｌｎｅｔ  ｖａｒ＝１＞＜／ｈｏｓｐｉｔａｌｎｅｔ＞
タグ  ｓａｍｐｌｅ          属性  ｖａｌ  値  ３  と指定した場合
＜ｓａｍｐｌｅ  ｖａｌ＝３＞＜／ｓａｍｐｌｅ＞
(2) ウエブサイトのページのＵＲＬ
閲覧するぺ一ジの「ＵＲＬ」が別に指定したＵＲＬ属性を含んでいるかを検出する。
【００３１】
例えば、ｈｔｔｐ：／／ｗｗｗ．ｈｐｎｅｔ．ｃｏ．ｊｐ  を含んだ場合に該当すると判断する場合
利用者がｈｔｔｐ：／／ｗｗｗ．ｈｐｎｅｔ．ｃｏ．ｊｐ／ｓａｍｐｌｅ／ｉｎｄｅｘ．ｈｔｍｌ  を閲覧した場合は、該当ページと判断。
【００３２】
利用者がｈｔｔｐ：／／ｗｗｗ．ｙａｈｏｏ．ｃｏ．ｊｐ  を閲覧した場合は該当ページではないと判断。
(3) アプリケーションプログラムのファイル名
アプリケーション利用の場合はファイル名から別に登録されているアプリケーションであるか否かで判別する。
【００３３】
例えば、ＡＡＡＡＡ．ｅｘｅを利用した場合に該当すると判別する場合
利用者がＡＡＡＡＡ．ｅｘｅを利用した場合は、該当と判断。
【００３４】
利用者がＢＢＢＢＢ．ｅｘｅを利用した場合は、該当しないと判断。
【００３５】
以上の検出からグループ番号の送信までの手順の流れを、(2) のウエブサイトのページ内に配された特定タグの場合を例により図３のフローチャートに従って以下記載する。
【００３６】
手順Ｓ１〜Ｓ２
利用者のウエブサイトへの接続の要求を検出して、ＨＴＭＬファイルから特定タグを検出して、照合テーブルにより照合する。
【００３７】
手順Ｓ３
照合によりグループ番号を抽出する。
【００３８】
手順Ｓ４〜Ｓ５
課金状態にない場合はそのままグループ番号を課金装置に抽出する。
【００３９】
手順Ｓ６〜Ｓ７
既に課金状態にある場合は、既に送信されているグループ番号と新たに抽出されたグループ番号の優先順位を比較し、後者の方が優先順位が高い場合はそれを課金装置に抽出し、低い場合は送信しないで既に送信されているグループ番号を維持する。
【図面の簡単な説明】
【００４０】
【図１】この発明の時間貸しパソコンのブロック図。
【図２】同上、フローチャート
【図３】同上、フローチャート
【符号の説明】
【００４１】
１        パソコン
２        課金装置
【図１】
2004171546.tif 000003
【図２】
2004171546.tif 000004
【図３】
2004171546.tif 000005